(57)【要約】      （修正有）【課題】開錠又は閉錠の際、支持軸（垂直軸）がブレることなく、スムーズな開閉が可能な鍵付きカバー扉を提供する。【解決手段】上下左右側枠により開口を形成する取付枠１と、左右側枠の一方に付設された係止受けに係止することで閉錠し、係止を解除することで開錠する、開口を開閉する第１開閉扉２と、反係止受け側の側枠１１ｄに近接し、上下側枠１１ａ、１１ｂに支持される支持軸と、を備え、第１開閉扉２は、板状の第１扉本体２１と、第１扉本体２１の上下端から内方に延びる第１側板２２とを有する縦断面がコ字形状体であり、第１側板２３には、支持軸が通される長孔が形成されており、第１開閉扉２は、閉錠により開口を閉じた状態から開錠し反係止受け方向に直線的にスライドさせ、次いで、第１開閉扉２を回動させることで開くことができる。【選択図】図５
0003234197.tif 000002
【実用新案登録請求の範囲】
【請求項１】
上下側枠及び左右側枠により開口を形成する取付枠と、
該左右側枠の一方に付設された係止受けに係止することで閉錠し、係止を解除することで開錠する、該開口を開閉する第１開閉扉と、
反係止受け側の側枠に近接し、上下側枠に支持される支持軸と、を備え、
該第１開閉扉は、鍵穴を有する板状の第１扉本体と、該第１扉本体の上下端から内方に延びる第１側板とを有する縦断面がコ字形状体であり、該第１側板には、該支持軸が通される、左右方向の孔長さが支持軸の軸径より大の長孔が形成されており、
該第１開閉扉は、閉錠により該開口を閉じた状態の第１位置、開錠し該第１位置から反係止受け方向に直線的にスライドさせ該開口を閉じた状態の第２位置、及び該第２位置から第１開閉扉を回動させることで該開口を開いた状態の第３位置と、順に開き操作が可能であることを特徴とする鍵付きカバー扉。
【請求項２】
該第１開閉扉の該係止受け側の縁部は、該第１位置において、該取付枠内の隙間に入り込み、該第１開閉扉の回動を阻止する没入部であることを特徴とする請求項１記載の鍵付きカバー扉。
【請求項３】
該支持軸が、該長孔の反係止受け側の端に当接することで該第１位置となり、該長孔の係止受け側の端に当接することで該第２位置となることを特徴とする請求項１又は２に記載の鍵付きカバー扉。
【請求項４】
該第１扉本体の鍵操作側の面には、該第１位置において、該取付枠と当接する、該面から起立状に延びる板状突起が形成されてなることを特徴とする請求項１〜３のいずれか１項に記載の鍵付きカバー扉。
【請求項５】
該第１扉本体の該係止受け側の端には、内方に延びる第２側板を有し、該第２側板は、該係止受けを避ける切り欠きにより分断された不連続側板であることを特徴とする請求項１〜４のいずれか１項に記載の鍵付きカバー扉。
【請求項６】
該第１開閉扉の第１側板は、第１位置及び第２位置において、取付枠の上下枠に当接又は近接していることを特徴とする請求項１〜５のいずれか１項に記載の鍵付きカバー扉。
【請求項７】
上下側枠及び左右側枠により開口を形成する取付枠と、
該左右側枠の一方に付設された係止受けに係止することで閉錠し、係止を解除することで開錠する、該開口を開閉する第２開閉扉と、
反係止受け側の側枠に近接し、上下側枠に支持される支持軸と、を備え、
該第２開閉扉は、鍵穴を有する板状の第２扉本体と、該第２扉本体の上下端から内方に延びる第３側板とを有する縦断面がコ字形状体である親開閉扉、及び板状の第３扉本体と、該第３扉本体の上下端から内方に延びる第４側板を有する縦断面がコ字形状であり、該親開閉扉にスライド自在に内接する子開閉扉を備える二重扉であって、該親開閉扉の該第３側板には、該支持軸が通される、左右方向の孔長さが支持軸の軸径より大の長孔が形成され、該子開閉扉は、該支持軸の動きに連動可能に該支持軸に固定されたものであり、
該第２開閉扉は、閉錠により該開口を閉じた状態の第１位置、開錠し該第１位置から反係止受け方向に該親開閉扉を直線的にスライドさせ該開口を閉じた状態の第２位置、及び該第２位置から第２開閉扉を回動させることで該開口を開いた状態の第３位置と、順に開き操作が可能であることを特徴とする鍵付きカバー扉。
【請求項８】
該親開閉扉の該係止受け側の縁部は、該第１位置において、該取付枠内の隙間に入り込み、該第２開閉扉の回動を阻止する没入部であることを特徴とする請求項７記載の鍵付きカバー扉。
【請求項９】
該支持軸が、該長孔の反係止受け側の端に当接することで該第１位置となり、該長孔の係止受け側の端に当接することで該第２位置となることを特徴とする請求項７又は８に記載の鍵付きカバー扉。
【請求項１０】
該親開閉扉の鍵操作側の面には、該第１位置において、該取付枠と当接する、該面から起立状に延びる板状突起が形成されてなることを特徴とする請求項７〜９のいずれか１項に記載の鍵付きカバー扉。
【請求項１１】
該親開閉扉の該係止受け側の端には、内方に延びる第５側板を有し、該第５側板は、該係止受けを避ける切り欠きにより分断された不連続側板であることを特徴とする請求項７〜１０のいずれか１項に記載の鍵付きカバー扉。
【請求項１２】
該親開閉扉の第３側板は、該第１位置及び該第２位置において、該取付枠の上下枠に当接又は近接していることを特徴とする請求項７〜１１のいずれか１項に記載の鍵付きカバー扉。
【請求項１３】
既設の開閉操作部を覆うように、後付けで設置されることを特徴とする請求項１〜１２のいずれか１項に記載の鍵付きカバー扉。
【請求項１４】
該既設の開閉操作部が、シャッターのスイッチボックスであることを特徴とする請求項１３記載の鍵付きカバー扉。
【考案の詳細な説明】
【技術分野】
【０００１】
本考案は、シャッターのスイッチボックス等の既設の開閉操作部に対する防犯用の後付けの鍵付きカバー扉に関する。
【背景技術】
【０００２】
特開２００１―２０５８９号公報には、取付枠を備えた開口部を開閉する施錠扉において、開錠時はこの扉の一方の側枠との係合を外れ、かつ該扉は左右水平方向への移行面で扉の他端寄りに設けた垂直方向の軸の周りに他方の側枠に対して９０度回動し前記開口部を解放可能に構成する防犯扉が開示されている。この防犯扉によれば、解錠状態で扉の水平移動と回動を組合わせることで、正常に扉を開くことができ、正常な扉の開閉において時間と知恵を要し、ましては盗犯等の侵入被害を受けることを未然に防止できる防犯扉として有効作用する機能を備える。また、扉の開止状態においては、扉の両端は取付枠の両側枠に係合した状態となり扉の端部と取付枠間の隙間はなく、バール等の破損工具でこの係合を無理に外すことを完全に防止できる。前記施錠機構が外力で破損されたとしても、通常の扉のように、簡易に本件発明の扉を手前に反転し開くことは出来ず、防犯上有効かつ安全性の高い防犯扉である（段落番号０００９）。
【先行技術文献】
【特許文献】
【０００３】
【特許文献１】特開２００１―２０５８９号公報
【考案の概要】
【考案が解決しようとする課題】
【０００４】
しかしながら、特開２００１―２０５８９号公報の発明において、垂直軸が嵌る細長のスロット（長孔）は、取付枠の上下枠に付設されているため、開錠の際、垂直軸が左右方向にブレ易く、スムーズな開閉ができないという問題がある。
【０００５】
従って、本考案の目的は、開錠又は閉錠の際、支持軸（垂直軸）がブレることなく、スムーズな開閉が可能な鍵付きカバー扉を提供することにある。
【課題を解決するための手段】
【０００６】
上記課題は、以下の本考案により解決される。すなわち、本考案（１）は、上下側枠及び左右側枠により開口を形成する取付枠と、該左右側枠の一方に付設された係止受けに係止することで閉錠し、係止を解除することで開錠する、該開口を開閉する第１開閉扉と、反係止受け側の側枠に近接し、上下側枠に支持される支持軸と、を備え、該第１開閉扉は、鍵穴を有する板状の第１扉本体と、該第１扉本体の上下端から内方に延びる第１側板とを有する縦断面がコ字形状体であり、該第１側板には、該支持軸が通される、左右方向の孔長さが支持軸の軸径より大の長孔が形成されており、該第１開閉扉は、閉錠により該開口を閉じた状態の第１位置、開錠し該第１位置から反係止受け方向に直線的にスライドさせ該開口を閉じた状態の第２位置、及び該第２位置から第１開閉扉を回動させることで該開口を開いた状態の第３位置と、順に開き操作が可能であることを特徴とする鍵付きカバー扉を提供するものである。
【０００７】
また、本考案（２）は、該第１開閉扉の該係止受け側の縁部は、該第１位置において、該取付枠内の隙間に入り込み、該第１開閉扉の回動を阻止する没入部であることを特徴とする前記（１）記載の鍵付きカバー扉を提供するものである。
【０００８】
また、本考案（３）は、該支持軸が、該長孔の反係止受け側の端に当接することで該第１位置となり、該長孔の係止受け側の端に当接することで該第２位置となることを特徴とする前記（１）又は（２）に記載の鍵付きカバー扉を提供するものである。
【０００９】
また、本考案（４）は、該第１扉本体の鍵操作側の面には、該第１位置において、該取付枠と当接する、該面から起立状に延びる板状突起が形成されてなることを特徴とする前記（１）〜（３）のいずれか１項に記載の鍵付きカバー扉を提供するものである。
【００１０】
また、本考案（５）は、該第１扉本体の該係止受け側の端には、内方に延びる第２側板を有し、該第２側板は、該係止受けを避ける切り欠きにより分断された不連続側板であることを特徴とする前記（１）〜（４）のいずれか１項に記載の鍵付きカバー扉を提供するものである。
【００１１】
また、本考案（６）は、該第１開閉扉の第１側板は、第１位置及び第２位置において、取付枠の上下枠に当接又は近接していることを特徴とする前記（１）〜（５）のいずれか１項に記載の鍵付きカバー扉を提供するものである。
【００１２】
また、本考案（７）は、上下側枠及び左右側枠により開口を形成する取付枠と、該左右側枠の一方に付設された係止受けに係止することで閉錠し、係止を解除することで開錠する、該開口を開閉する第２開閉扉と、反係止受け側の側枠に近接し、上下側枠に支持される支持軸と、を備え、該第２開閉扉は、鍵穴を有する板状の第２扉本体と、該第２扉本体の上下端から内方に延びる第３側板とを有する縦断面がコ字形状体である親開閉扉、及び板状の第３扉本体と、該第３扉本体の上下端から内方に延びる第４側板を有する縦断面がコ字形状であり、該親開閉扉にスライド自在に内接する子開閉扉を備える二重扉であって、該親開閉扉の該第３側板には、該支持軸が通される、左右方向の孔長さが支持軸の軸径より大の長孔が形成され、該子開閉扉は、該支持軸の動きに連動可能に該支持軸に固定されたものであり、該第２開閉扉は、閉錠により該開口を閉じた状態の第１位置、開錠し該第１位置から反係止受け方向に該親開閉扉を直線的にスライドさせ該開口を閉じた状態の第２位置、及び該第２位置から第２開閉扉を回動させることで該開口を開いた状態の第３位置と、順に開き操作が可能であることを特徴とする鍵付きカバー扉を提供するものである。
【００１３】
また、本考案（８）は、該親開閉扉の該係止受け側の縁部は、該第１位置において、該取付枠内の隙間に入り込み、該第２開閉扉の回動を阻止する没入部であることを特徴とする前記（７）記載の鍵付きカバー扉を提供するものである。
【００１４】
また、本考案（９）は、該支持軸が、該長孔の反係止受け側の端に当接することで該第１位置となり、該長孔の係止受け側の端に当接することで該第２位置となることを特徴とする前記（７）〜（８）に記載の鍵付きカバー扉を提供するものである。
【００１５】
また、本考案（１０）は、該親開閉扉の鍵操作側の面には、該第１位置において、該取付枠と当接する、該面から起立状に延びる板状突起が形成されてなることを特徴とする前記（７）〜（９）のいずれか１項に記載の鍵付きカバー扉を提供するものである。
【００１６】
また、本考案（１１）は、該親開閉扉の該係止受け側の端には、内方に延びる第５側板を有し、該第５側板は、該係止受けを避ける切り欠きにより分断された不連続側板であることを特徴とする前記（７）〜（１０）のいずれか１項に記載の鍵付きカバー扉を提供するものである。
【００１７】
また、本考案（１２）は、該親開閉扉の第３側板は、該第１位置及び該第２位置において、該取付枠の上下枠に当接又は近接していることを特徴とする請求項前記（７）〜（１１）のいずれか１項に記載の鍵付きカバー扉を提供するものである。
【００１８】
また、本考案（１３）は、既設の開閉操作部を覆うように、後付けで設置されることを特徴とする前記（１）〜（１２）のいずれか１項に記載の鍵付きカバー扉を提供するものである。
【００１９】
また、本考案（１４）は、該既設の開閉操作部が、シャッターのスイッチボックスであることを特徴とする前記（１３）記載の鍵付きカバー扉を提供するものである。
【考案の効果】
【００２０】
本考案によれば、防犯機能を保持しつつ、開錠又は閉錠の際、支持軸（垂直軸）がブレることなく、スムーズな開閉が可能な鍵付きカバー扉を提供できる。
【図面の簡単な説明】
【００２１】
【図１】本発明の第１の実施の形態における鍵付きカバー扉の第１位置における正面図である。
【図２】図１の既存の開閉操作部に対して取り付けられた鍵付きカバー扉の平面図である。
【図３】図１の鍵付きカバー扉の第２位置における正面図である。
【図４】図１の鍵付きカバー扉の第２位置における平面図である。
【図５】図１の鍵付きカバー扉の第２位置から第３位置に移る途中の斜視図である。
【図６】図１の鍵付きカバー扉の第３位置における正面図である。
【図７】図１の鍵付きカバー扉の第３位置における平面図である。
【図８】本発明の第２の実施の形態における鍵付きカバー扉の第１位置における第２開閉扉を内側から見た図である。
【図９】本発明の第２の実施の形態における鍵付きカバー扉の第２位置における第２開閉扉を内側から見た図である。
【図１０】本発明の第２の実施の形態における鍵付きカバー扉の第３位置における部分的な斜視図である。
【考案を実施するための形態】
【００２２】
次に、本考案の実施の形態について、図面を参照して説明する。本明細書中、取付枠１の構造は、壁面に取り付けた状態について説明し、第１開閉扉２及び第２開閉扉２ａの上下方向及び左右方向は、断らない限り、開口１ａを閉じた開閉扉を鍵操作側（正面）から見た方向で定義する。本考案は、特開２００１―２０５８９号公報の防犯扉の改良技術である。
【００２３】
次に、本考案の第１の実施の形態について、図１〜図７を参照して説明する。鍵付きカバー扉（以下、単に「カバー扉」とも言う。）１０は、例えば、既設の開閉操作部であるシャッターのスイッチボックス１００を覆うように、壁面２００にネジ９で固定される防犯扉である。符号１０１は、スイッチボックスの開閉扉、符号１０２は、スイッチボックスの鍵である。カバー扉１０は、取付枠１と、第１開閉扉２と、支持軸３を備える。取付枠１は、正面視が矩形状であって、上下側枠１１ａ、１１ｂ及び左右側枠１１ｃ、１１ｄにより開口１ａを形成する。左右側枠１１ｃ、１１ｄの一方の側枠１１ｃは、他方の側枠１１ｄと対峙する面となる第１面部１１１ｃが形成され、内方（図２では後方）に形成された鍵となる係止体８２が係止する係止受け８３との間に第１隙間２７を形成している。この第１隙間２７は、第１開閉扉２の係止受け側の縁部（没入部２１ａ）が入り込む空間である。
【００２４】
また、左右側枠１１ｃ、１１ｄの他方の側枠１１ｄは、一方の側枠１１ｃと対峙する第２面部１１１ｄが形成され、第２面部１１１ｄの内方（図２では後方）と側方（図２では左側方）には、第１開閉扉２が第２位置Bから第３位置Cに回動する際、第１開閉扉２の反係止受け側の縁部が入り込む第２隙間２８が形成されている。
【００２５】
また、上下側枠１１ａ、１１ｂは、互いに対峙する面となる第３面部１１１ａ、第４面部１１１ｂをそれぞれ有している。第３面部１１１ａ、第４面部１１１ｂは、第１開閉扉２の第１側板２２と近接又は当接する第１開閉扉２をガイドする面であり、第１開閉扉２の回動の際のブレを抑制している。また、上下側枠１１ａ、１１ｂの第３面部１１１ａ及び第４面部１１１ｂを含む板状の部材には、支持軸３が嵌る貫通状の支持孔１１３（図８参照）が形成されている。支持孔１１３は、支持軸３の軸芯が回動時にブレず、且つ回動可能な大きさである。すなわち、支持軸３の内径は、支持軸３の直径より極僅かに大きい。
【００２６】
取付枠１は、壁面２００への取付用のネジ孔２９ａ〜２９ｄが付設された背面板２６を有する。背面板２６は、上下側枠１１ａ、１１ｂ及び左右側枠１１ｃ、１１ｄから左右方向の内方に延びた板状体であり、開口１ａより僅かに小さい開口面積の裏開口１ａを有する。これにより、第１開閉扉２が開き状態となった第３位置Cにおいて、既設の開閉操作部へのアクセスが可能となる。
【００２７】
第１開閉扉２は、鍵である係止体８２が左右側枠１１ｃ、１１ｄの一方の側枠１１ｃに付設された係止受け８３に係止することで閉錠し、係止を解除することで開錠する、開口１ａを開閉する扉である。第１開閉扉２は、表面には鍵穴を、裏面には鎌形状の係止体８２を有する板状の第１扉本体２１と、第１扉本体２１の上下端から内方（図２では後方）に延びる第１側板２２とを有する縦断面がコ字形状体である。第１開閉扉２の係止受け側の縁部は、第１位置Aにおいて、左右側枠１１ｃ、１１ｄの一方の側枠１１ｃの第１隙間２７に入り込み、第１開閉扉２の回動を阻止する没入部２１ａとなっている。従って、第１開閉扉２の寸法は、正面視において、上下長さは、開口１ａの上下長さより若干小さく、左右長さは、開口１ａの左右長さと没入部２１ａ長さ及び反係止受け側の側枠への入り込み長さを加算した長さである。
【００２８】
第１扉本体２１の鍵操作側（鍵穴）の表面には、閉錠状態である第１位置Aにおいて、取付枠１の係止受け側の第１面部１１１ｃと近接又は当接すると共に、第１扉本体２１の表面から起立状に延びる板状突起２５が形成されている。板状突起２５の先端は、左右側枠１１ｃ、１１ｄの表面と面一となっている。板状突起２５は、第１開閉扉２の第１位置Aにおいて、左右側枠１１ｃ、１１ｄと第１扉本体２１との僅かな隙間から侵入者がアクセスする際、邪魔板となり、破損用具であるバールや番線の侵入をし難くする。
【００２９】
また、第１扉本体２１の係止受け側の端には、内方（図２では後方）に延びる第２側板２３を有し、第２側板２３は、係止受け８３を避ける切り欠き２２３により分断された不連続側板である。すなわち、第１扉本体２１と第２側板２３は、横断面がＬ字形状を形成している。第２側板２３は、第１開閉扉２の第１位置Aにおいて、係止受け８３の上部と下部に形成されており、侵入者に対し、外から斜め上や斜め下からのアクセスをし難くしている。
【００３０】
また、第１開閉扉２の第１側板２２には、支持軸３が通される、左右方向の孔長さが支持軸３の軸径より大の長孔４（細孔）が形成されている。長孔４の左右方向の孔長さは、第１開閉扉２の没入部２１ａの左右長さと同じである。また、長孔４の前後方向長さは、支持軸３の軸径と同じ又はそれより少し大である。これにより、第１開閉扉２の直線的なスライド移動と開口１ａを開ける際の回動移動を円滑なものとしている。
【００３１】
支持軸３は、丸棒の垂直軸であり、反係止受け側の側枠に近接し、上下側枠１１ａ、１１ｂの支持孔１１３に嵌り支持される。また、支持軸３は、第１開閉扉２の長孔４を通って、上下側枠１１ａ、１１ｂに支持されている。すなわち、図２に示すように、支持軸３が長孔４の反係止受け側の端（右内端）に当接している状態が第１開閉扉２の第１位置Aであり、図４に示すように、支持軸３が長孔４の係止受け側の端（内端）に当接している状態が第１開閉扉２の第２位置Bである。
【００３２】
次に、カバー扉１０の使用方法について説明する。図１及び図２の通り、閉錠において、第１開閉扉２は開口１ａを塞ぎ、シャッタースイッチボックス１００を隠している。この場合、鍵である係止体８２は、係止受け８３に係止している。また、第１開閉扉２の長孔４の反係止受け側の端２４１と支持軸３が当接している。また、第１開閉扉２の係止受け側の縁部（没入部２１ａ）は、左右側枠１１ｃ、１１ｄの一方の第１隙間２７（図２の左側枠の内方）に入り込んでいる。次に、鍵を使い係止体８２を開方向（時計周り）に回動して開錠する。この状態において、開錠されているものの、第１開閉扉２は回動させようとしても、没入部２１ａが左右側枠１１ｃ、１１ｄの一方の第１隙間２７に入り込んだままであり、回動させることはできない。
【００３３】
次に、鍵を掴みつつ、第１開閉扉２を直線的にスライドさせる。スライド後、第１開閉扉２の長孔４の係止受け側の端２４２と支持軸３が当接する。従って、スライド移動は、この時点でそれ以上のスライドは不能であり、停止する。すなわち、長孔４は、第１開閉扉２のスライド距離を規定するものである。第１開閉扉２のスライド後、第１開閉扉２の係止受け側の縁部（没入部２１ａ）は、左右側枠１１ｃの第１隙間２７から外れ、未だ開口１ａを塞ぐものの、回動可能位置にくる。また、第１開閉扉２の反係止受け側の縁部は、左右側枠１１ｃ、１１ｄの他方（１１ｄ）の第２隙間２８に入り込んでいる。この状態が第１開閉扉２の第２位置Bとなる。
【００３４】
次に、鍵を掴みつつ、第１開閉扉２を手前に引き、平面視、反時計回りで回動させる。このように、第２位置Bから開閉扉を回動させることで開口１ａを開いた状態の第３位置Cとなる。第１開閉扉２の回動において、支持軸３は取付枠１の支持孔１１３にほぼ隙間なく支持されており、ブレルことはない。一方、第１開閉扉２の縦断面が第１側板２２を含むコ字形状であり、第１側板２２が上下側枠１１ａ、１１ｂの第１面部１１１ａと第２面部１１１ｂにガイドされるため、第１開閉扉２の回動もブレルことはない。
【００３５】
第１開閉扉２が開き、開口１ａが開くことで、シャッタースイッチボックス１００へ手が届き、操作が可能となる。そして、第１開閉扉２を閉める場合、第１開閉扉２の開操作と逆の操作を行えばよい。すなわち、開かれた第１開閉扉２を時計回りに回動させ、開口１ａを閉じ、次いで第１開閉扉２を開きの際のスライド方向とは逆の方向にスライドさせて没入部２１ａを一方の側枠１１ｃの第１隙間２７に入り込ませ、次いで、閉錠を行えばよい。このように、カバー扉１０は、開錠の際し、扉のスライド移動と扉の回動移動を組み合わせるため、侵入者にとって開け難く、更に、閉錠時、第２側板２３や板状突起２５の存在により、破損用具のバールや番線などが入れにくく、防犯に適した構造となっている。
【００３６】
次に、本考案の第２の実施の形態のカバー扉１０ａについて、図８〜図１０を参照して説明する。図８〜図１０において、図１〜図７と同一構成要素には同一符号を付して、その説明を省略し、異なる点について、主に説明する。すなわち、図８〜図１０のカバー扉１０ａにおいて、図１〜図７のカバー扉１０と異なる点は、第１開閉扉２をスライド式の二重構造の第２開閉扉２ａとした点である。なお、図８は、カバー扉１０ａにおいて、第１位置Aにおける第２開閉扉２ａを裏面（背面板側）から前方側に向けて見た図であり、図９は、第２位置Bにおける第２開閉扉２ａを裏面（背面板側）から前方側に向けて見た図である。なお、符号Xが係止受け側であり、符号Yが反係止受け側である。また、図１０は、２開閉扉２ａが開き状態（第３位置C）における部分斜視図である。
【００３７】
カバー扉１０ａにおいて、第２開閉扉２ａは、鍵穴を有する板状の第２扉本体２１ａと、第２扉本体２１ａの上下端から内方に延びる第３側板２２ａとを有する縦断面がコ字形状体である親開閉扉５A、及び板状の第３扉本体５１と、第３扉本体５１の上下端から内方に延びる第４側板５２を有する縦断面がコ字形状であり、親開閉扉５Aにスライド自在に内接する子開閉扉５Bを備える二重扉である。すなわち、親開閉扉５Aは、本考案の第１の実施の形態のカバー扉１０における第１開閉扉２と同じである。
【００３８】
カバー扉１０ａにおいて、子開閉扉５Bの第３扉本体５１は、板状体であり、上下高さは、親開閉扉５Aの上下の内寸法と同じ又はそれより若干小であり、左右方向の反係止体８２側の第１端（回動の基部側）５１１は、親開閉扉５Aの同じ側の第１端より係止体８２側に入り込んでおり、係止体８２側の第２端５１２は、第２位置Bにおいて、鍵である係止体８２との接触を避ける位置となっている。子開閉扉５Bの第４側板５２の第３扉本体５１の上下端から内方に延びる長さは、親開閉扉５Aの第３側板２２ａの内方に延びる内寸法と同じである。すなわち、平面視において、子開閉扉５Bは親開閉扉５Aに隠れており見えない。
【００３９】
また、子開閉扉５Bは、支持軸３に接続部３１を介して一体的に固定される。すなわち、子開閉扉５Bは、支持軸３の動きに連動する。支持軸３は、取付枠１の上下側枠１１ａ、１１ｂに対し軸芯がブレルことなく、回動自在に支持されており、子開閉扉５Bも、同様、支持軸３の回動に連動してブレルことなく回動する。すなわち、第２開閉扉２ａが、第１位置Aから第２位置Bへ直線的にスライド移動する際、子開閉扉５Bは動くことなく、親開閉扉５Aが、子開閉扉５Bに対してスライド移動する。このため、親開閉扉５Ａのスライド移動がブレることなく、安定する。また、第２位置Bから第３位置Cへ回動する際、親開閉扉５Aと子開閉扉５Bは一体的に回動する。これは、親開閉扉５Aを開く際、子開閉扉５Bの第１端５１１は、親開閉扉５Aの第１端より係止体８２側寄りであり、且つ支持軸３より反係止体８２側にあり、親開閉扉５Aが開く方向に回動すると、親開閉扉５Aが子開閉扉５Bの第１端５１１の近傍を回動方向に押すためである。
【００４０】
また、第２開閉扉２ａを開状態から閉じる際、すなわち、第２開閉扉２ａが第３位置Cから第２位置Bへ回動する際、親開閉扉５Aと子開閉扉５Bは一体的に回動する。これは、子開閉扉５Bが親開閉扉５Aに内接しているため、親開閉扉５Aは子開閉扉５Bの内接方向に回動して閉じるためである。また、第２開閉扉２ａの第２位置Bから第１位置Aへ、直線的にスライドさせる際、子開閉扉５Bは、動かず、子開閉扉５Bに対して親開閉扉５Aは直線的にスライドする。なお、第２開閉扉２ａにおいて、支持軸３が遊嵌する長孔４は、第１開閉扉２と同様の側板、すなわち、親開閉扉５Aの第３側板２２ａに形成されている。
【００４１】
次に、カバー扉１０ａの使用方法について説明する。カバー扉１０ａの閉錠において、第２開閉扉２ａは開口１ａを塞ぎ、シャッタースイッチボックス１００を隠している。これが第２開閉扉２ａの第１位置Aである。この場合、鍵である係止体８２は、係止受け８３に係止している。また、第２開閉扉２ａの長孔４の反係止受け側の端２４１と支持軸３が当接している。また、第２開閉扉２ａの係止受け側の縁部（没入部２１ａ）は、左右側枠１１ｃ、１１ｄの一方（１１ｃ）の第１隙間２７に入り込んでいる。次に、鍵を使い係止体８２を開方向（時計周り）に回動して開錠する。この状態において、カバー扉１０ａは、開錠されているものの、第２開閉扉２ａは回動させようとしても、没入部２１ａが左右側板１１ｃ、１１ｄの一方の第１隙間２７に入り込んだままであり、回動させることはできない。
【００４２】
次に、鍵を掴みつつ、第２開閉扉２ａの親開閉扉５Aを直線的にスライドさせる。この場合、子開閉扉５Bは不動であり、親開閉扉５Aの長孔４の係止受け側の端と支持軸３が当接する。従って、スライド移動は、この時点で停止する（第２位置B）。第２開閉扉２ａの第２位置Bにおいて、親開閉扉５Aの係止受け側の縁部（没入部２１ａ）は、左右側枠１１ｃ、１１ｄの第１隙間２７から外れ、開口１ａを塞ぐものの、回動可能位置にくる。また、親開閉扉５Aの反係止受け側の縁部は、左右側枠１１ｃ、１１ｄの他方の第２隙間２８に入り込む。。
【００４３】
次に、鍵を掴みつつ、親開閉扉５Aを手前に引き、平面視で反時計回りに回動させる。この場合、親開閉扉５Aと子開閉扉５Bは、一体的に連動する。このように、第２位置Bから第２開閉扉２ａを回動させることで開口１ａを開いた状態の第３位置Cとなる。第２開閉扉２ａの回動において、支持軸３は上下側枠１１ａ、１１ｂの支持孔１１３にほぼ隙間なく支持されており、ブレルことはない。一方、第２開閉扉２ａは、子開閉扉５Bが、親開閉扉５Aの移動のガイド枠として機能するため、第２開閉扉２ａの回動は、更に円滑であり、ブレルことはない。
【００４４】
第２開閉扉２ａが開き、開口１ａが開くことで、シャッタースイッチボックスへ手が届き、操作が可能となる。そして、第２開閉扉２ａを閉める場合、第２開閉扉２ａの開操作と逆の操作を行えばよい。すなわち、開かれた第１開閉扉２を平面視、時計回りに回動させ、開口１ａを閉じる。この場合、親開閉扉５Aと子開閉扉５Bは一体的に動く。次いで親開閉扉５Aを開きの際のスライド方向とは逆の方向にスライドさせて没入部２１ａを一方の側枠の第１隙間２７に入り込ませ、次いで、閉錠を行えばよい。この場合、子開閉扉５Bは不動である。このように、カバー扉１０ａは、親開閉扉５Aが子開閉扉５Bによって、スライド移行や開閉移動が円滑であり、操作がし易い。また、第１の実施の形態例と同様、開錠の際し、扉のスライド移動と扉の回動移動を組み合わせるため、侵入者のとって開け難く、更に、閉錠時、第５側板２３ａや板状突起２５の存在により、バールや番線などが入れにくく、防犯に適した構造となっている。
【００４５】
本考案（１）のカバー扉によれば、上下側枠及び左右側枠により開口を形成する取付枠と、該左右側枠の一方に付設された係止受けに係止することで閉錠し、係止を解除することで開錠する、該開口を開閉する第１開閉扉と、反係止受け側の側枠に近接し、上下側枠に支持される支持軸と、を備え、該第１開閉扉は、鍵穴を有する板状の第１扉本体と、該第１扉本体の上下端から内方に延びる第１側板とを有する縦断面がコ字形状体であり、該第１側板には、該支持軸が通される、左右方向の孔長さが支持軸の軸径より大の長孔が形成されており、該第１開閉扉は、閉錠により該開口を閉じた状態の第１位置、開錠し該第１位置から反係止受け方向に直線的にスライドさせ該開口を閉じた状態の第２位置、及び該第２位置から第１開閉扉を回動させることで該開口を開いた状態の第３位置と、順に開き操作が可能であるため、第１位置から第２位置へのスライド移動及び第２位置から第３位置への回動が、ブレることなく、円滑に行われる。また、第１開閉扉の開閉が複雑であり、防犯に優れる。
【００４６】
本考案（２）のカバー扉によれば、該第１開閉扉の該係止受け側の縁部は、該第１位置において、該取付枠内の隙間に入り込み、該第１開閉扉の回動を阻止する没入部であるため、簡単な構造でありながら、複雑な開閉操作とすることができ、防犯効果に優れる。
【００４７】
本考案（３）のカバー扉によれば、該支持軸が、該長孔の反係止受け側の端に当接することで該第１位置となり、該長孔の係止受け側の端に当接することで該第２位置となるため、第１開閉扉の開操作及び閉操作における直線的スライドの停止が自動的に規定される。
【００４８】
本考案（４）のカバー扉によれば、該第１扉本体の鍵操作側の面には、該第１位置において、該取付枠と当接する、該面から起立状に延びる板状突起が形成されてなるため、侵入者によるバールや番線が入り難く、防犯に優れる。
【００４９】
本考案（５）のカバー扉によれば、該第１扉本体の該係止受け側の端には、内方に延びる第２側板を有し、該第２側板は、該係止受けを避ける切り欠きにより分断された不連続側板であるため、侵入者による斜め下方及び斜め上方からのアクセスがし難く、防犯に優れる。
【００５０】
本考案（６）のカバー扉によれば、該第１開閉扉の第１側板は、第１位置及び第２位置において、取付枠の上下枠に当接又は近接しているため、上下側枠が第１開閉扉のガイドとなり、第１開閉扉の動きが円滑となる。
【００５１】
本考案（７）のカバー扉によれば、上下側枠及び左右側枠により開口を形成する取付枠と、該左右側枠の一方に付設された係止受けに係止することで閉錠し、係止を解除することで開錠する、該開口を開閉する第２開閉扉と、反係止受け側の側枠に近接し、上下側枠に支持される支持軸と、を備え、該第２開閉扉は、鍵穴を有する板状の第２扉本体と、該第２扉本体の上下端から内方に延びる第３側板とを有する縦断面がコ字形状体である親開閉扉、及び板状の第３扉本体と、該第３扉本体の上下端から内方に延びる第４側板を有する縦断面がコ字形状であり、該親開閉扉にスライド自在に内接する子開閉扉を備える二重扉であって、該親開閉扉の該第３側板には、該支持軸が通される、左右方向の孔長さが支持軸の軸径より大の長孔が形成され、該子開閉扉は、該支持軸の動きに連動可能に該支持軸に固定されたものであり、該第２開閉扉は、閉錠により該開口を閉じた状態の第１位置、開錠し該第１位置から反係止受け方向に該親開閉扉を直線的にスライドさせ該開口を閉じた状態の第２位置、及び該第２位置から第２開閉扉を回動させることで該開口を開いた状態の第３位置と、順に開き操作が可能であるため、子開閉扉が親開閉扉のガイド機能を司り、親開閉扉の動きが一層円滑となる。
【００５２】
本考案（８）のカバー扉によれば、該親開閉扉の該係止受け側の縁部は、該第１位置において、該取付枠内の隙間に入り込み、該第２開閉扉の回動を阻止する没入部であるため、、簡単な構造でありながら、複雑な開閉操作とすることができる。
【００５３】
本考案（９）のカバー扉によれば、該支持軸が、該長孔の反係止受け側の端に当接することで該第１位置となり、該長孔の係止受け側の端に当接することで該第２位置となるため、第１開閉扉の開操作及び閉操作における直線的スライドの停止が自動的に規定される。
【００５４】
本考案（１０）のカバー扉によれば、該親開閉扉の鍵操作側の面には、該第１位置において、該取付枠と当接する、該面から起立状に延びる板状突起が形成されてなるため、侵入者によるバールや番線が入り難く、防犯に優れる。
【００５５】
本考案（１１）のカバー扉によれば、該親開閉扉の該係止受け側の端には、内方に延びる第５側板を有し、該第５側板は、該係止受けを避ける切り欠きにより分断された不連続側板であるため、侵入者による斜め下方及び斜め上方からのアクセスがし難く、防犯に優れる。
【００５６】
本考案（１２）のカバー扉によれば、該親開閉扉の第３側板は、該第１位置及び該第２位置において、該取付枠の上下枠に当接又は近接しているため、上下側枠が第１開閉扉のガイドとなり、第１開閉扉の動きが円滑となる。
【００５７】
本考案（１３）のカバー扉によれば、既設の開閉操作部を覆うように、後付けで設置されるため、設置以外の新たな工事が不要である。
【００５８】
本考案（１４）のカバー扉によれば、該既設の開閉操作部が、シャッターのスイッチボックスであるため、特に狙われやすいシャッタースイッチボックスに対して防犯効果に優れる。
【産業上の利用可能性】
【００５９】
本考案によれば、簡単な扉構造でありながら、複雑な開き動作を行う必要があり、優れた防犯機能を有する。また、開錠又は閉錠の際、支持軸（垂直軸）がブレることなく、スムーズな開閉が可能であり、管理者に負担をかけない。
【符号の説明】
【００６０】
１  取付枠
１ａ  開口
１ｂ  裏開口
２  第１開閉扉
２ａ  第２開閉扉
３  支持軸
５A  親開閉扉
５B  子開閉扉
１０、１０ａ  カバー扉
１１ａ、１１ｂ  上下側枠
１１ｃ、１１ｄ  左右側枠
２１  第１扉本体
２１ａ  第２扉本体
２２  第１側板
２２ａ  第３側板
２３  第２側板
２４  長孔
２５  板状突起
２７  第１隙間
２８  第２隙間
５２  第４側板
【図１】
0003234197.tif 000003
【図２】
0003234197.tif 000004
【図３】
0003234197.tif 000005
【図４】
0003234197.tif 000006
【図５】
0003234197.tif 000007
【図６】
0003234197.tif 000008
【図７】
0003234197.tif 000009
【図８】
0003234197.tif 000010
【図９】
0003234197.tif 000011
【図１０】
0003234197.tif 000012